(57)【要約】      （修正有）【課題】目的の箇所に正確かつ容易に貼り付けることができる故に、確実にシワの形成を抑制してシワを改善し又は取り去ることができ、かつ安全である故に睡眠中の装着も可能であり、また、十分な通気性を有する故に、皮膚がかぶれたり、ただれたりすることを極力回避できる、安価な皮膚のシワ取り用具を提供する。【解決手段】皮膚のシワ取り用具Ａが、任意の形状を有するスポンジ様部材１から構成されており、かつスポンジ様部材１の皮膚に対向する面３の形状が、円形、長円形又は四角形以上の多角形であり、かつ、スポンジ様部材１の皮膚に対向する面３上に、シワを挟んで皮膚に貼付し得る少なくとも１対の粘着剤層２を有する。【選択図】図１
0003157943.tif 000002
【実用新案登録請求の範囲】
【請求項１】
皮膚上に形成されたシワを挟んでその両側から、該シワの長手方向に対して略直角方向に皮膚を引き伸ばすことにより、シワの形成を抑制し又はシワを取り去る、皮膚のシワ取り用具（Ａ）であって、該皮膚のシワ取り用具（Ａ）が、任意の形状を有するスポンジ様部材（１）から構成されており、かつ該スポンジ様部材（１）の皮膚に対向する面（３）の形状が、円形、長円形又は四角形以上の多角形であり、かつ、該スポンジ様部材（１）の皮膚に対向する面（３）上に、シワを挟んで皮膚に貼付し得る少なくとも１対の粘着剤層（２）を有する、皮膚のシワ取り用具。
【請求項２】
上記スポンジ様部材（１）の皮膚に対向する面（３）の形状が略長方形である、請求項１記載の皮膚のシワ取り用具。
【請求項３】
上記スポンジ様部材（１）の形状が略直方体である、請求項１又は２記載の皮膚のシワ取り用具。
【請求項４】
上記スポンジ様部材（１）の皮膚に対向する面（３）の中央部分が、皮膚から遠ざかる方向に窪んでおり、かつ上記少なくとも１対の粘着剤層（２）が、該皮膚に対向する面（３）のほぼ両端部分に備えられている、請求項１〜３のいずれか一つに記載の皮膚のシワ取り用具。
【請求項５】
上記少なくとも１対の粘着剤層（２）が、その表面に更に剥離紙を備える、請求項１〜４のいずれか一つに記載の皮膚のシワ取り用具。
【請求項６】
皮膚が顔面又は首の皮膚である、請求項１〜５のいずれか一つに記載の皮膚のシワ取り用具。
【考案の詳細な説明】
【技術分野】
【０００１】
本考案は、人間の皮膚のシワ取り用具に関し、更に詳細には、人間の皮膚、とりわけ、顔面及び首の皮膚に形成されたシワを物理的に伸ばすことにより、シワの形成を抑制してシワを改善し又は取り去ることのできるシワ取り用具に関する。
【背景技術】
【０００２】
従来、人間の皮膚、とりわけ、顔面の皮膚に形成されたシワを取るために、化粧水、美容液、クリーム等が使用されてきた。例えば、アスナロ又はその抽出物を有効成分とするシワ形成抑制剤（特許文献１）、コエンザイムＱ１０およびビタミンＫ類を有効成分とするシワ形成抑制剤（特許文献２）、ネオアガロビオース、ネオアガロテトラオースおよびネオアガロヘキサオースよりなる群から選ばれる糖類の少なくとも１種以上を有効成分として含有することを特徴とする抗シワ剤（特許文献３）等の多数の発明が知られている。また、近年の美容整形外科手術の進歩により、外科手術的にシワを取る方法も採用されるようになってきた。しかし、この方法は高額な費用を必要とすることがあるのみならず、危険を伴うことさえもあり得る。
【０００３】
そこで、物理的な方法でシワを改善又は抑制する、より手軽な方法が提案されている。例えば、顔面のシワのある部分に、シワを伸ばした状態で貼り付けるパッドであって、顔面の起伏に沿い得る可とう性を有し、しかも、シワの復元力に抗し得る材料からなる所要厚さのパッド本体と、パッド本体の片面に設けられた粘着剤層とを備えている美顔用パッド（特許文献４）、楕円形状の粘着シップシールに通気用の穴を付け、横の折りしろを３本、縦の折りしろを４本作り、これを眉間に張り付けて眉間の縦ジワを防止し、シワを抑制する美顔シール（特許文献５）、裏面に粘着性がある透明性のテープ等のものを、みかんの房形状にし、台紙からはがせるシール状にし、これに通気のために無数の穴を設け、顔の目の下部などに長時間貼り付け、シワを伸ばした状態を保つことで、シワの防止や、シワ取りをするシワ取りパッチ（特許文献６）、及びやや厚めの強伸縮の生ゴム板に粘着剤を付着させ、皮膚のシワ、垂みの上にこのゴム板を伸延状態で貼付すると、ゴムの還元力により皮膚が縮小し、シワ、垂みを延ばすことを目的とした伸縮粘着ゴム板が知られている（特許文献７）。特許文献１〜６では、いずれも顔面に貼る際に、一方の手でシワを伸ばしながら、同時にもう一方の手でこれらシール等を顔面に貼り付けるものである。従って、皮膚のシワを伸ばした状態で貼れないこともあり、また、シール等にシワがよらないように貼り付けることも容易ではなく、場合によっては、却ってシワの形成を助長してしまうなどの弊害があった。故に、これらのシール等を顔面に貼り付けるにはある程度の注意を払わなければならず、少なからず手間がかかると言う問題もあった。特許文献７では、貼り付け箇所によっては却ってシワの形成を助長してしまうなどの弊害が大きかった。また、これらはシール等の全面を顔面に貼り付けることから、貼り付けられた部分の面積が大きく、かつ通気性が悪いことから、とりわけ、皮膚の弱い人においては、貼り付けた部分が赤くかぶれたり、ただれたりする等の問題もあった。特許文献５及び６に記載の美顔シール及びシワ取りパッチに見られるように、通気性を改善すべく、シールに無数の穴を設ける手段がある。しかし、それではコスト高を回避し得ない。
【０００４】
かかる問題を解決すべく、例えば、シワを取るための、顔に直接貼る美容目的のテープで、テープ中央部分に皮膚が直接、接触しない部分を設けることによって、皮膚を引っ張る強度を持ったシワを取るリフティングテープが提案されている（特許文献８）。しかし、特許文献８には、皮膚を引っ張る強度を持ったシワを取るリフティングテープが、いかなる材質のものであるかの具体的な記載はない。通常、テープと言う文言から、このような強度を有する材質としては、強度のある合成樹脂、金属が挙げられる。また、左右一対の板体と、左端部を左板体の裏面に、右端部を右板体の裏面に、夫々取り付けた板ばね部材と、前記左板体と右板体の表面に夫々設けた粘着層と、両粘着層を保護する剥離紙とよりなる、シワ伸ばし・予防具が提案されている（特許文献９）。ここで、左右の板体と板ばね部材は、合成樹脂で一体成形されている。また、合成樹脂に代えて、ステンレス・スティール等の金属製のばね材料で作り得ることも記載されている。このように、これらのリフティングテープ及びシワ伸ばし・予防具では、強度のある合成樹脂又は金属により製造されていることから、人間の顔面に装着するには危険であるという問題があった。とりわけ、このようなシワ取り用具は睡眠中に装着されることが多く、その際、これらの材質により顔面等に思わぬ怪我をするという危険性を有していた。また、目的の箇所への貼り付けが容易でないという問題も有していた。加えて、これらの材料は比較的高価であり、かつ複雑な形状を有していることから、コスト高と言う問題も回避し得ない。
【先行技術文献】
【特許文献】
【０００５】
【特許文献１】特開平９−２５５５４８号公報
【特許文献２】特開２００９−１４３８３７公報
【特許文献３】特開２００９−１０２２７９公報
【特許文献４】実用新案登録第３０２４０８４号公報
【特許文献５】特開平１０−２３９２４号公報
【特許文献６】特開平１０−１９４９６２号公報
【特許文献７】特開昭６２−６６６１６号公報
【特許文献８】実用新案登録第３０９０２０９号公報
【特許文献９】特開２００５−１１８５２０号公報
【考案の概要】
【考案が解決しようとする課題】
【０００６】
本考案は、目的の箇所に正確かつ容易に貼り付けることができることから、確実にシワの形成を抑制してシワを改善し又は取り去ることができ、かつ安全であることから睡眠中の装着も可能であり、また、十分な通気性を有することから、皮膚が赤くかぶれたり、ただれたりすることを極力回避できる、安価な皮膚のシワ取り用具を提供するものである。
【課題を解決するための手段】
【０００７】
特許文献１〜７に記載されているようなシール等では、顔面に貼り付ける際に手間がかかる。また、シール等の全面を顔面に貼り付けたのでは、皮膚のかぶれやただれ等を回避し得ない。しかし、特許文献８及び９に記載されているようなシワ伸ばし具では、皮膚のかぶれやただれ等はある程度回避し得るものの、顔面に貼り付ける際の手間は却って増大する。また、何といっても危険であり、睡眠中に貼り付けたままにすることができない。そこで、本考案者は、種々の検討を試みた。その結果、強度のある合成樹脂や金属に代えて、スポンジ様の材質のものを使用すれば、片手で簡単に目的の箇所に正確に貼り付けることができ、かつスポンジ様の材質であるから通気性も良好で、皮膚のかぶれやただれ等も少なく、とりわけ、安全であることから睡眠中に長時間、貼り付けたままにしても怪我等をすることがないことを見出し、本考案を完成するに至ったのである。
【０００８】
即ち、本考案は、
（１）皮膚上に形成されたシワを挟んでその両側から、該シワの長手方向に対して略直角方向に皮膚を引き伸ばすことにより、シワの形成を抑制し又はシワを取り去る、皮膚のシワ取り用具（Ａ）であって、該皮膚のシワ取り用具（Ａ）が、任意の形状を有するスポンジ様部材（１）から構成されており、かつ該スポンジ様部材（１）の皮膚に対向する面（３）の形状が、円形、長円形又は四角形以上の多角形であり、かつ、該スポンジ様部材（１）の皮膚に対向する面（３）上に、シワを挟んで皮膚に貼付し得る少なくとも１対の粘着剤層（２）を有する、皮膚のシワ取り用具である。
【０００９】
好ましい態様として、
（２）上記スポンジ様部材（１）の皮膚に対向する面（３）の形状が略四角形である、上記(１)記載の皮膚のシワ取り用具、
（３）上記スポンジ様部材（１）の皮膚に対向する面（３）の形状が略長方形である、上記(１)記載の皮膚のシワ取り用具、
（４）該長方形の長辺が２．０〜５．０ｃｍであり、短辺が０．５〜３．０ｃｍである、上記(３)記載の皮膚のシワ取り用具、
（５）上記スポンジ様部材（１）の形状が略直方体である、上記（１）〜（４）のいかずれか一つに記載の皮膚のシワ取り用具、
（６）該直方体の高さが１．０〜５．０ｃｍである、上記(５)記載の皮膚のシワ取り用具、
（７）上記スポンジ様部材（１）の皮膚に対向する面（３）の中央部分が、皮膚から遠ざかる方向に窪んでおり、かつ上記少なくとも１対の粘着剤層（２）が、該皮膚に対向する面（３）のほぼ両端部分に備えられている、上記（１）〜（６）のいかずれか一つに記載の皮膚のシワ取り用具、
（８）上記少なくとも１対の粘着剤層（２）が、その表面に更に剥離紙を備える、上記（１）〜（７）のいかずれか一つに記載の皮膚のシワ取り用具、
（９）皮膚が顔面又は首の皮膚である上記（１）〜（８）のいかずれか一つに記載の皮膚のシワ取り用具
を挙げることができる。
【考案の効果】
【００１０】
本考案の皮膚のシワ取り用具は、片手でワンタッチで貼り付け可能であることから、手鏡等を使用して、目的の箇所に正確かつ容易に貼り付けることができる。故に、確実にシワの形成を抑制して、シワを改善し又は取り去ることができる。また、スポンジ様の材質で作られていることから、顔面に貼り付けても怪我をすることがなく安全である。故に、睡眠中に長時間、貼り付けたままにすることもできる。加えて、十分な通気性を有することから、長時間貼り付けたままにしておいても、皮膚が赤くかぶれたり、ただれたりすることを極力回避し得る。また、スポンジ様の材質である故に、安価に製造することができる。
【図面の簡単な説明】
【００１１】
【図１】図１は、本考案の皮膚のシワ取り用具（Ａ）を皮膚に貼り付けたときの使用状態を示した説明図である。
【図２】図２は、本考案の皮膚のシワ取り用具（Ａ）の一実施態様を示した概略図である。
【図３】図３は、本考案の皮膚のシワ取り用具（Ａ）の一実施態様を示した概略図である。
【図４】図４は、本考案の皮膚のシワ取り用具（Ａ）の一実施態様を示した概略図である。
【図５】図５は、本考案の皮膚のシワ取り用具（Ａ）の一実施態様を示した概略図である。
【考案を実施するための形態】
【００１２】
本考案の皮膚のシワ取り用具（Ａ）を構成するスポンジ様部材（１）の皮膚に対向する面（３）の形状は、円形、長円形又は四角形以上の多角形である。好ましくは略四角形であり、より好ましくは略長方形である。略長方形であることにより、少ない面積で有効に皮膚を引き伸ばすことができる。ここで、皮膚に対向する面（３）とは、皮膚のシワ取り用具（Ａ）の使用状態において、スポンジ様部材（１）が皮膚と向かい合う面を言い、その形状とは、スポンジ様部材（１）を圧縮する前の使用前状態における、粘着剤層（２）の部分を包含する全体の面の形状を言う。また、スポンジ様部材（１）全体の形状は、皮膚に対向する面（３）、即ち、一つの面の形状が円形、長円形又は四角形以上の多角形であれば、特に限定されない。但し、使い易さの観点から、好ましくは略立方体又は略直方体であり、より好ましくは略直方体である。スポンジ様部材（１）の形状が略直方体であることにより、皮膚のシワ取り用具（Ａ）を皮膚上に貼り付ける際に、粘着剤層（２）の部分を皮膚に貼り付け易くし得るため好ましい。
【００１３】
スポンジ様部材（１）の皮膚に対向する面（３）の大きさ及びスポンジ様部材（１）全体の大きさは、顔面又は首の皮膚に貼り付けるために適した大きさであれば特に限定されない。例えば、皮膚に対向する面（３）の形状が長方形であるとき、長辺が、好ましくは２．０〜５．０ｃｍ、より好ましくは２．５〜４．０ｃｍであり、短辺が、好ましくは０．５〜３．０ｃｍであり、より好ましくは１．０〜２．０ｃｍである。また、スポンジ様部材（１）の形状が直方体であるとき、その高さが、好ましくは１．０〜５．０ｃｍ、より好ましくは２．０〜３．０ｃｍである。実際の使用に際しては、所定の大きさのものを１種類取り揃えておけば顔面、首等のシワ取りに十分対応することができるが、大中小の３種類程度の大きさのものを取り揃えておくことも可能である。
【００１４】
スポンジ様部材（１）の材質は、スポンジ又はそれに類似するものであれば特に制限はない。スポンジとは、一般には弾性のある多孔性合成樹脂を言い、合成樹脂の種類は問わない。また、海綿、ホームラバー又はこれに類似するものであってもよい。これらは適度な弾性があることから、顔面及び首などの皮膚に圧縮して貼り付けたときに、その復元力により皮膚を引き伸ばして、シワの形成を抑制し又はシワを取り去る効果を有する。また、多孔性であることから通気性に富んでおり、顔面及び首などの皮膚に貼り付けても、それにより皮膚が赤くかぶれたり、ただれたりすることが殆どなく、かつ安全性も高い。更に、スポンジ様部材（１）には、顔面及び首の皮膚に有効な化粧品、薬品等、例えば、シワ取り効果のある化粧品、薬品等を付与することができる。これにより、皮膚のシワ取り用具（Ａ）によるシワ取り時に、同時に化粧品、薬品等による種々の効果をも期待することができる。
【００１５】
粘着剤層（２）は、スポンジ様部材（１）の皮膚に対向する面（３）上に備えられており、皮膚に形成されたシワを挟んで両側に貼り付けられる。粘着剤層（２）は、少なくとも１対、好ましくは１〜２対、より好ましくは１対が備えられている。粘着剤層（２）の面積及びその数は、スポンジ様部材（１）の皮膚に対向する面（３）の面積に依存して適宜決定される。また、その形状も任意であるが、好ましくは略四角形、より好ましくは略長方形である。粘着剤層（２）は、その表面に剥離紙を備えることができる。これにより、使用時に剥離紙を剥がして容易に使用し得る。また、粘着剤層（２）はスポンジ様部材（１）上に直接又は台紙等を介して付与することができる。好ましくは直接付与され、これにより台紙等による危険性を回避し得る。粘着剤層（２）を構成する粘着剤は、通常、皮膚に貼り付けるために使用されるものであれば特に制限はない。
【００１６】
本考案の皮膚のシワ取り用具（Ａ）の一実施態様を図２に示す。該シワ取り用具のスポンジ様部材（１）は、略直方体の形状を有しており、かつ皮膚に対向する面（３）の形状は略長方形である。粘着剤層（２）は、皮膚に対向する面（３）のほぼ両端部分に１対設けられている。使用に際しては、粘着剤層（２）上に備えられている剥離紙を剥し、指、例えば、親指と人差し指及び／又は中指でスポンジ様部材（１）を両側（Ｂ方向）から、粘着剤層（２）の部分が貼り付ける皮膚の部分とほぼ平行になるように圧縮し、次いで、圧縮した状態で１対の粘着剤層（２）を、シワを挟んで皮膚に貼り付ければよい。図１は、本考案の皮膚のシワ取り用具（Ａ）を皮膚に貼り付けた使用状態を説明する概略図である。図１に示されているように、圧縮されたスポンジ様部材（１）が元の状態に復元しようとする弾性力（Ｃ）により、皮膚（４）が引き伸ばされてシワ（５）の形成が抑制される。
【００１７】
本考案の皮膚のシワ取り用具（Ａ）の他の実施態様を図３に示す。該シワ取り用具のスポンジ様部材（１）は、略直方体の形状を有しており、かつ皮膚に対向する面（３）が略長方形であるという点で、図２に示した実施態様の皮膚のシワ取り用具と類似するが、図３に示されているように皮膚に対向する面（３）がその両端で突出しており、粘着剤層（２）が、その突出部分に備えられているものである。該実施態様のシワ取り用具では、粘着剤層（２）をスポンジ様部材（１）に直接設置することができ、台紙等を使用しないことが可能であることからより安全性に優れている。また、スポンジ様部材（１）の皮膚に対向する面（３）の中央部分が窪んでいることから、その部分が使用中に皮膚に接しないため、それによる不快感を軽減することもできる。本考案の皮膚のシワ取り用具（Ａ）の更なる他の実施態様を図４に示す。該シワ取り用具のスポンジ様部材（１）は、略直方体の形状を有しており、かつ皮膚に対向する面（３）が略長方形であるという点で、図２に示した実施態様の皮膚のシワ取り用具と類似するが、図４に示されているようにスポンジ様部材（１）の皮膚に対向する面（３）の中央部分が、皮膚から遠ざかる方向に窪んでおり、かつ粘着剤層（２）が、該皮膚に対向する面のほぼ両端部分に備えられているものである。また、本考案の皮膚のシワ取り用具（Ａ）の更に他の実施態様を図５に示す。図５に示されている実施態様は、図４に示されている実施態様とほぼ同様である。これらの図３〜５に示された実施態様の皮膚のシワ取り用具（Ａ）においても、その使用方法及び使用状態は、上記の図２に示された実施態様の皮膚のシワ取り用具と同様である。
【００１８】
以下の実施例において、本考案を更に詳細に説明するが、本考案はこの実施例により限定されるものではない。
【００１９】
（実施例）
実施例において、皮膚のシワ取り用具（Ａ）として、図２に示すものを使用した。該皮膚のシワ取り用具を目尻のシワの形成を抑制するために、該シワを挟んで左右の目尻に貼り付けた。その状態で就寝し、翌朝起床時に該皮膚のシワ取り用具を取り外した。この作業を１０日間実施した。一日のシワ取り用具の装着時間は約６〜７時間であった。また、皮膚のシワ取り用具は毎日新しいものを使用した。
【００２０】
１０日間のシワ取り作業終了後、特に皮膚が赤くただれたり、かぶれたりすることもなかった。また、就寝中、ずっと装着していたにもかかわらず、顔面等に怪我をすることもなく、かつシワ取り用具が脱落することもなかった。シワの状態は、皮膚のシワ取り用具（Ａ）の使用前後でほぼ変化はなく、シワの形成は進んでいなかった。
【産業上の利用可能性】
【００２１】
本考案の皮膚のシワ取り用具は、スポンジ様の材質で作られていることから、通気性があり、従って、長時間貼り付けておいても、皮膚が赤くかぶれたり、ただれたりすることが殆どない。また、安全であることから、睡眠中に長時間、貼り付けたままにすることもできる。また、片手でワンタッチで目的の箇所に貼り付けることができる。加えて、安価に製造することができる。従って、とりわけ、女性が顔面及び首の皮膚のシワの形成を抑制するために手軽に使用し得ることが大いに期待される。
【符号の説明】
【００２２】
１  スポンジ様部材
２  粘着剤層
３  皮膚に対向する面
４  皮膚
５  シワ
Ａ  皮膚のシワ取り用具
Ｂ  圧縮方向
Ｃ  復元方向
【図１】
0003157943.tif 000003
【図２】
0003157943.tif 000004
【図３】
0003157943.tif 000005
【図４】
0003157943.tif 000006
【図５】
0003157943.tif 000007